(57)【要約】【課題】管状光源の破損を確実に防止可能な緩衝部材を、多大な手間をかけずに管状光源の周りに設けることができ、かつ、照射光量の低下や管状光源での温度ムラの発生を防止することのできる照明装置、液晶装置および電子機器を提供すること。【解決手段】照明装置１０において、管状光源１１は両端がゴムホルダー１９によって支持されている。管状光源１１の周りには、ゴム製あるいは樹脂製の緩衝部材１Ａが設けられており、かかる緩衝部材１Ａはコイル状になっている。従って、管状光源１１の破損を確実に防止可能な緩衝部材１Ａを、多大な手間をかけずに管状光源１１の周りに設けることができる。また、管状光源１１での照射光量の低下や管状光源１１での温度ムラの発生を防止することができる。【選択図】図２
2010244692.tif 000002
【特許請求の範囲】
【請求項１】
管状光源と、
該管状光源の周りに設けられた緩衝部材と、
を有する照明装置であって、
前記緩衝部材は、前記管状光源の周りに前記管状光源の長手方向に連続的に装着された部材であることを特徴とする照明装置。
【請求項２】
前記緩衝部材は、前記管状光源の周りに装着されたコイル状部材であることを特徴とする請求項１に記載の照明装置。
【請求項３】
前記緩衝部材は、前記管状光源の周りに装着された筒状部材であって、肉厚方向で貫通する複数の貫通穴が形成されていることを特徴とする請求項１に記載の照明装置。
【請求項４】
前記緩衝部材は、前記管状光源の周りに対して当該管状光源の長手方向で離間する位置に装着された複数の環状部と、該複数の環状部のうち、前記管状光源の長手方向で隣り合う環状部同士を連結する連結部と、を備えていることを特徴とする請求項１に記載の照明装置。
【請求項５】
前記緩衝部材は、前記管状光源の外周面全体に等しい厚さで被覆された透光層であることを特徴とする請求項１に記載の照明装置。
【請求項６】
管状光源と、
該管状光源の周りに設けられた緩衝部材と、
を有する照明装置であって、
前記緩衝部材は、前記管状光源の周りに対して当該管状光源の長手方向で離間する位置に装着された複数の環状部材であって、周方向の一箇所で途切れていることを特徴とする照明装置。
【請求項７】
管状光源と、
該管状光源の周りに設けられた緩衝部材と、
を有する照明装置であって、
前記緩衝部材は、前記管状光源の外周面において互いに離間する複数個所に付着した固着物であることを特徴とする照明装置。
【請求項８】
前記管状光源の長手方向において隣接する前記固着物は、互いに周方向の異なる位置に配置されることを特徴とする請求項７に記載の照明装置。
【請求項９】
前記緩衝部材は、ゴム製あるいは樹脂製であることを特徴とする請求項１乃至８の何れか一項に記載の照明装置。
【請求項１０】
請求項１乃至９の何れか一項に記載の照明装置を備えた液晶装置であって、
前記照明装置から出射された光を光変調するための液晶パネルを備えていることを特徴とする液晶装置。
【請求項１１】
請求項１０に記載の液晶装置を備えていることを特徴とする電子機器。
【発明の詳細な説明】
【技術分野】
【０００１】
本発明は、管状光源を備えた照明装置、該照明装置を備えた液晶装置、および該液晶装置を備えた電子機器に関するものである。
【背景技術】
【０００２】
冷陰極管などの管状光源を用いた照明装置としては、管状光源の周りのうちの一部を開放するようにリフレクターを設けるとともに、リフレクターから露出している部分に対して導光板を設けた導光板方式のものがある。また、管状光源を用いた照明装置としては、複数本の管状光源を並列させた直下式のものもある。いずれの場合も、管状光源は通常、両端部がゴムホルダーなどにより支持された状態にある。かかる照明装置では、管状光源に振動が伝わると、管状光源が撓むなどの変位を起こす。その際、管状光源がリフレクターなどの周辺部材に接触すると、管状光源が破損することがある。
【０００３】
一方、直下式の照明装置において、管状光源の中間部分を支持するランプホルダーを備えたケースを用いた構成が提案されている（特許文献１参照）。
【０００４】
また、導光板方式の照明装置において、管状光源の周りにリング部材を１つ装着しておくことが提案されている（特許文献２参照）。
【０００５】
かかる照明装置でも、管状光源が周辺部材と接触することを防止することができる。しかしながら、特許文献１に記載の構成は、ケースにランプホルダーを設けてあるため、特許文献２に記載の構成のように、予め、管状光源にリング部材を装着することができず、組立作業に多大な手間がかかるという問題点がある。
【先行技術文献】
【特許文献】
【０００６】
【特許文献１】特開２００７−１２８８１７号公報
【特許文献２】実開平６−３７８０５号公報
【発明の概要】
【発明が解決しようとする課題】
【０００７】
一方、特許文献２に記載の構成では、リング部材が周辺部材と接触した際、管状光源に加わる力が１箇所に集中するため、管状光源の破損を確実に防止することは不可能である。特に近年は、管状光源が細径化しているため、管状光源に振動が伝わった際の管状光源の変位が大きい。このため、図１０（ａ）に示すように、両端がゴムホルダー１９で支持された管状光源１１の２箇所にリング状の緩衝部材１Ｘを装着した位では、図１０（ｂ）に示すように、管状光源１１の中間部分が大きく変位し、破損してしまう。かといって、図１０（ｃ）に示すように、管状光源１１にリング状の緩衝部材１Ｘを多数、装着すると、緩衝部材１Ｘの装着に多大な手間がかかる。
【０００８】
一方、図１０（ｄ）に示すように、リング状の緩衝部材１Ｘに代えて、筒状の緩衝部材１Ｚを管状光源１１に装着すると、緩衝部材１Ｚの装着にかかる手間を低減できるとともに、管状光源１１の破損を防止することができる。しかしながら、図１０（ｄ）に示す構成では、管状光源１１を覆う面積が広くなってしまうため、管状光源１１から出射された光が緩衝部材１Ｚで遮られて照度が低下するという問題点がある。また、筒状の緩衝部材１Ｚは、図１０（ａ）、（ｂ）、（ｃ）に示すリング状の緩衝部材１Ｘと比較して長いため、緩衝部材１Ｚを装着した箇所と筒状の緩衝部材１Ｚを装着しない箇所との間での温度差が大となる結果、管状光源１１に輝度ムラや寿命低下が発生してしまうという問題点がある。
【０００９】
以上の問題点に鑑みて、本発明の課題は、管状光源の破損を確実に防止可能な緩衝部材を、多大な手間をかけずに管状光源の周りに設けることができる照明装置、該照明装置を備えた液晶装置、および該液晶装置を備えた電子機器を提供することにある。
【００１０】
また、本発明の課題は、管状光源の破損を確実に防止可能な緩衝部材を、多大な手間をかけずに管状光源の周りに設けることができ、かつ、照射光量の低下や管状光源での温度ムラの発生を防止することのできる照明装置、該照明装置を備えた液晶装置、および該液晶装置を備えた電子機器を提供することにある。
【課題を解決するための手段】
【００１１】
上記課題を解決するために、本発明は各々、以下の構成を有するため、管状光源の破損を確実に防止可能な緩衝部材を、多大な手間をかけずに管状光源の周りに設けることができ、かつ、照射光量の低下や温度ムラの発生を防止することのできる、という新たな課題を解決することができる。
【００１２】
まず、本発明は、管状光源と、該管状光源の周りに設けられた緩衝部材と、を有する照明装置であって、前記緩衝部材は、前記管状光源の周りに前記管状光源の長手方向に連続的に装着された部材であることを特徴とする。
【００１３】
本発明においては、管状光源の周りに緩衝部材が設けられているため、管状光源に振動が伝わって管状光源が変位しても緩衝部材が周辺部材と接触し、管状光源が周辺部材に直接接触することがない。また、緩衝部材は管状光源の長手方向に連続的に装着された部材であるため、管状光源の長手方向の広い範囲に緩衝部材が存在する。このため、管状光源が変位しても緩衝部材の複数個所が周辺部材と接触するため、管状光源に応力が集中しない。それ故、管状光源の破損を確実に防止することができる。また、管状光源の長手方向の広い範囲に緩衝部材を存在させる場合でも、１つあるいは少数の緩衝部材を管状光源に装着すればよい。従って、多大な手間をかけずに緩衝部材を管状光源の周りに設けることができる。
【００１４】
例えば、本発明は、管状光源と、該管状光源の周りに設けられた緩衝部材と、を有する照明装置であって、前記緩衝部材は、前記管状光源の周りに装着されたコイル状部材であることを特徴とする。
【００１５】
本発明においては、管状光源の周りに緩衝部材が設けられているため、管状光源に振動が伝わって管状光源が変位しても緩衝部材が周辺部材と接触し、管状光源が周辺部材に直接接触することがない。また、緩衝部材はコイル状部材であるため、管状光源の長手方向の広い範囲に緩衝部材が存在する。このため、管状光源が変位しても緩衝部材の複数個所が周辺部材と接触するため、管状光源に応力が集中しない。それ故、管状光源の破損を確実に防止することができる。また、緩衝部材はコイル状部材であるため、管状光源の長手方向の広い範囲に緩衝部材を存在させる場合でも、１つあるいは少数の緩衝部材を管状光源に装着すればよい。従って、多大な手間をかけずに緩衝部材を管状光源の周りに設けることができる。しかも、緩衝部材はコイル状部材であるため、管状光源を覆う面積が少なくて済む。よって、管状光源から出射された光が緩衝部材で遮られるのを最小限に止めることができるので、照度低下を防止することができる。また、筒状の緩衝部材を装着した箇所と筒状の緩衝部材を装着しない箇所との間での温度差が小さいので、輝度ムラや寿命低下の発生を防止することができる。
【００１６】
また、本発明の別の形態は、管状光源と、該管状光源の周りに設けられた緩衝部材と、を有する照明装置であって、前記緩衝部材は、前記管状光源の周りに装着された筒状部材であって、肉厚方向で貫通する複数の貫通穴が形成されていることを特徴とする。
【００１７】
本発明においては、管状光源の周りに緩衝部材が設けられているため、管状光源に振動が伝わって管状光源が変位しても緩衝部材が周辺部材と接触し、管状光源が周辺部材に直接接触することがない。また、緩衝部材は筒状部材であるため、管状光源の長手方向の広い範囲に緩衝部材が存在する。このため、管状光源が変位しても緩衝部材の複数個所が周辺部材と接触するため、管状光源に応力が集中しない。それ故、管状光源の破損を確実に防止することができる。また、緩衝部材は筒状部材であるため、管状光源の長手方向の広い範囲に緩衝部材を存在させる場合でも、１つあるいは少数の緩衝部材を管状光源に装着すればよい。従って、多大な手間をかけずに緩衝部材を管状光源の周りに設けることができる。しかも、緩衝部材には複数の貫通穴が形成されているため、管状光源を覆う面積が少なくて済む。よって、管状光源から出射された光が緩衝部材で遮られるのを最小限に止めることができるので、照度低下を防止することができる。また、筒状の緩衝部材を装着した箇所と筒状の緩衝部材を装着しない箇所との間での温度差が小さいので、輝度ムラや寿命低下の発生を防止することができる。
【００１８】
また、本発明の別の形態は、管状光源と、該管状光源の周りに設けられた緩衝部材と、を有する照明装置であって、前記緩衝部材は、前記管状光源の周りに対して当該管状光源の長手方向で離間する位置に装着された複数の環状部と、該複数の環状部のうち、前記管状光源の長手方向で隣り合う環状部同士を連結する連結部と、を備えていることを特徴とする。
【００１９】
本発明においては、管状光源の周りに緩衝部材が設けられているため、管状光源に振動が伝わって管状光源が変位しても緩衝部材が周辺部材と接触し、管状光源が周辺部材に直接接触することがない。また、緩衝部材は複数の環状部を備えているため、管状光源の長手方向の広い範囲に緩衝部材が存在する。このため、管状光源が変位しても緩衝部材の複数個所が周辺部材と接触するため、管状光源に応力が集中しない。それ故、管状光源の破損を確実に防止することができる。また、緩衝部材は、複数の環状部が連結部で連結されているため、管状光源の長手方向の広い範囲に緩衝部材を存在させる場合でも、１つあるいは少数の緩衝部材を管状光源に装着すればよい。従って、多大な手間をかけずに緩衝部材を管状光源の周りに設けることができる。しかも、緩衝部材では複数の環状部が管状光源を覆うため、管状光源を覆う面積が少なくて済む。よって、管状光源から出射された光が緩衝部材で遮られるのを最小限に止めることができるので、照度低下を防止することができる。また、筒状の緩衝部材を装着した箇所と筒状の緩衝部材を装着しない箇所との間での温度差が小さいので、輝度ムラや寿命低下の発生を防止することができる。
【００２０】
また、本発明の別の形態は、管状光源と、該管状光源の周りに設けられた緩衝部材と、を有する照明装置であって、前記緩衝部材は、前記管状光源の外周面全体に等しい厚さで被覆された透光層であることを特徴とする。
【００２１】
本発明においては、管状光源の周りに緩衝部材が設けられているため、管状光源に振動が伝わって管状光源が変位しても緩衝部材が周辺部材と接触し、管状光源が周辺部材に直接接触することがない。また、緩衝部材は、管状光源の外周面全体に存在する。このため、管状光源が変位しても緩衝部材の複数個所で周辺部材と接触するか、あるいは周辺部材と面接触するため、管状光源に応力が集中しない。それ故、管状光源の破損を確実に防止することができる。また、緩衝部材は管状光源の全面に被覆された透光層であり、かかる透光層は、管状光源に対する塗布やチューブの被覆などにより形成することができる。このため、管状光源の長手方向の広い範囲に緩衝部材を存在させる場合でも、緩衝部材を管状光源に容易に設けることができる。しかも、緩衝部材は透光層であるため、管状光源から出射された光が緩衝部材で遮られるのを最小限に止めることができるので、照度低下を防止することができる。また、前記緩衝部材は、前記管状光源の外周面全体を等しい厚さで覆っているため、温度差が小さい。よって、輝度ムラや寿命低下の発生を防止することができる。
【００２２】
また、本発明の別の形態は、管状光源と、該管状光源の周りに設けられた緩衝部材と、を有する照明装置であって、前記緩衝部材は、前記管状光源の周りに対して当該管状光源の長手方向で離間する位置に装着された複数の環状部材であって、周方向の一箇所で途切れていることを特徴とする。
【００２３】
本発明においては、管状光源の周りに緩衝部材が設けられているため、管状光源に振動が伝わって管状光源が変位しても緩衝部材が周辺部材と接触し、管状光源が周辺部材に直接接触することがない。また、緩衝部材は複数の環状部材であるため、管状光源の長手方向の広い範囲に緩衝部材が存在する。このため、管状光源が変位しても緩衝部材の複数個所が周辺部材と接触するため、管状光源に応力が集中しない。それ故、管状光源の破損を確実に防止することができる。また、緩衝部材は、環状であるが、周方向の一箇所で途切れているため、管状光源の長手方向の広い範囲に緩衝部材を存在させる場合でも、管状光源に容易に装着することができる。しかも、緩衝部材は複数の環状部材からなるため、管状光源を覆う面積が少なくて済む。よって、管状光源から出射された光が緩衝部材で遮られるのを最小限に止めることができるので、照度低下を防止することができる。また、筒状の緩衝部材を装着した箇所と筒状の緩衝部材を装着しない箇所との間での温度差が小さいので、輝度ムラや寿命低下の発生を防止することができる。
【００２４】
上記形態のいずれにおいても、本発明では、前記緩衝部材が、前記管状光源に装着されている部分から、前記管状光源が位置する内側および前記管状光源が位置する側とは反対側の外側のうちの少なくとも一方に突出した突起を周方向の複数個所に備えている構成を採用することができる。かかる構成によれば、管状光源が変位して緩衝部材が周辺部材に接触しても、その力は、突起を介して分散するため、管状光源の特定個所に応力が集中しない。このため、管状光源の破損をより確実に防止することができる。
【００２５】
また、本発明の別の形態は、管状光源と、該管状光源の周りに設けられた緩衝部材と、を有する照明装置であって、前記緩衝部材は、前記管状光源の外周面において互いに離間する複数個所に付着した固着物であることを特徴とする。
【００２６】
本発明においては、管状光源の周りに緩衝部材が設けられているため、管状光源に振動が伝わって管状光源が変位しても緩衝部材が周辺部材と接触し、管状光源が周辺部材に直接接触することがない。また、緩衝部材は、管状光源の外周面において互いに離間する複数個所に固着されているため、管状光源の長手方向の広い範囲に緩衝部材が存在する。このため、管状光源が変位しても緩衝部材の複数個所が周辺部材と接触するため、管状光源に応力が集中しない。それ故、管状光源の破損を確実に防止することができる。また、緩衝部材は管状光源に付着した固着物であり、かかる固着物は、管状光源に対する印刷や転写などの方法で一括して形成することができる。従って、管状光源の長手方向の広い範囲に緩衝部材を存在させる場合でも、緩衝部材を管状光源に容易に設けることができる。しかも、緩衝部材は互いに離間しているため、管状光源を覆う面積が少なくて済む。よって、管状光源から出射された光が緩衝部材で遮られるのを最小限に止めることができるので、照度低下を防止することができる。また、筒状の緩衝部材を装着した箇所と筒状の緩衝部材を装着しない箇所との間での温度差が小さいので、輝度ムラや寿命低下の発生を防止することができる。
【００２７】
本発明において、前記管状光源の長手方向において隣接する前記固着物は、互いに周方向の異なる位置に配置されていることが好ましい。
【００２８】
本発明において、前記緩衝部材は、例えばシリコーンゴムやフッ素ゴムなどのゴム製である。あるいは、前記緩衝部材は、シリコーン樹脂やフッ素樹脂などの樹脂製であってもよい。
【００２９】
本発明に係る照明装置は、管状光源の周りのうちの一部を開放するようにリフレクターを設けるとともに、リフレクターから露出している部分に対して導光板を設けた導光板方式の照明装置として構成することができる。かかる導光板方式の照明装置では、管状光源の近くにリフレクターや導光板などの周辺部材が存在する。しかるに本発明によれば、管状光源がリフレクターや導光板などの周辺部材が接触して破損することを防止することができる。
【００３０】
また、本発明に係る照明装置は、複数本の管状光源を並列させた直下式の照明装置として構成することができる。かかる直下式の照明装置では、管状光源の下側にリフレクターやケースが周辺部材として存在し、上方には被照明部材が周辺部材として存在する。しかるに本発明によれば、管状光源が周辺部材に接触して破損することを防止することができる。
【００３１】
本発明を適用した照明装置は、液晶装置のバックライト装置などとして用いることができ、かかる液晶装置は、前記照明装置から出射された光を光変調するための液晶パネルを備えている。
【００３２】
かかる液晶装置は、携帯電話機やモバイルコンピューターなどといった電子機器に用いることができる。
【図面の簡単な説明】
【００３３】
【図１】本発明が適用される導光板方式の照明装置、および液晶装置の構成を模式的に示す説明図である。
【図２】本発明の実施の形態１に係る照明装置に用いた緩衝部材の説明図である。
【図３】本発明の実施の形態２に係る照明装置に用いた緩衝部材の説明図である。
【図４】本発明の実施の形態３に係る照明装置に用いた緩衝部材の説明図である。
【図５】本発明の実施の形態４に係る照明装置に用いた緩衝部材の説明図である。
【図６】本発明の実施の形態５に係る照明装置に用いた緩衝部材の説明図である。
【図７】本発明の実施の形態６に係る照明装置に用いた緩衝部材の説明図である。
【図８】本発明が適用される直下式の照明装置、および液晶装置の構成を模式的に示す説明図である。
【図９】本発明を適用したコネクター付き装置を搭載した電子機器の説明図である。
【図１０】従来の照明装置の説明図である。
【発明を実施するための形態】
【００３４】
図面を参照して、本発明の実施の形態を説明する。なお、以下の説明では、本発明を適用した照明装置を透過型あるいは半透過反射型の液晶装置のバックライトとして用いた場合を中心に説明する。
【００３５】
［導光板方式の照明装置、および液晶装置の基本構成］
図１は、本発明が適用される導光板方式の照明装置、および液晶装置の構成を模式的に示す説明図である。
【００３６】
図１に示すように、本形態の照明装置１０は、液晶装置１００のバックライト装置などとして用いることができ、かかる液晶装置１００は、照明装置１０から出射された光を光変調するための透過型あるいは半透過反射型の液晶パネル５０を備えている。液晶パネル５０は、素子基板２０と対向基板３０とがシール材（図示せず）を介して貼り合わされた構造を有しており、素子基板２０と対向基板３０との間には液晶（図示せず）が保持されている。素子基板２０は、対向基板３０よりも大きく、素子基板２０において対向基板３０の端部から張り出した張り出し領域２１には、走査線駆動回路やデータ線駆動回路が構成された駆動用ＩＣ２５が実装されている。また、張り出し領域２１にはフレキシブル配線基板２８が接続されている。なお、走査線駆動回路やデータ線駆動回路は、素子基板２０上に形成された電界効果型トランジスターによって構成される場合があり、この場合、駆動用ＩＣ２５は不要である。
【００３７】
本形態の照明装置１０は、冷陰極管などの管状光源１１の周りのうちの一部を開放するように配置されたリフレクター１２と、管状光源１１においてリフレクター１２から露出している部分に対して端部を向けた導光板１３とを備えた導光板方式の照明装置である。管状光源１１は、後述するように両端部がゴムホルダーによって支持された状態にあり、かかるゴムホルダーは、リフレクター１２の端部などで保持されている。導光板１３において液晶パネル５０が配置されている側とは反対側には反射板１４が設けられており、導光板１３と液晶パネル５０との間には散乱板や偏光板などの光学部材２９が配置されている。
【００３８】
かかる導光板方式の照明装置１０では、管状光源１１の近くにリフレクター１２や導光板１３などの周辺部材が存在する。このため、管状光源１１に振動が伝わって管状光源１１が変位し、リフレクター１２や導光板１３などの周辺部材と接触すると、管状光源１１が破損することがある。そこで、本発明では、以下に説明する緩衝部材によって管状光源１１の破損を防止する。
【００３９】
［実施の形態１］
図２は、本発明の実施の形態１に係る照明装置１０に用いた緩衝部材の説明図であり、図２（ａ）、（ｂ）は各々、管状光源の周りに緩衝部材を設けた様子を示す説明図、および緩衝部材を１つ抜き出して示す斜視図である。なお、図２（ｃ）、（ｄ）は各々、本発明の実施の形態１に係る緩衝部材の変形例を示す説明図である。
【００４０】
図２に示す照明装置１０は、管状光源１１と、管状光源１１の周りに設けられた緩衝部材１Ａとを有しており、管状光源１１は両端がゴムホルダー１９によって支持されている。本形態において、緩衝部材１Ａは、管状光源１１の周りに装着されたコイル状部材である。かかる緩衝部材１Ａは、例えば、管状光源１１の周りに装着する前は、管状光源１１の外径寸法より小さな径に巻回されたコイル部材であり、管状光源１１の周りに装着した際に管状光源１１の周りに密着した状態となる。また、緩衝部材１Ａとしては、管状光源１１の周りに装着する前は線状に延在しており、管状光源１１の周りにコイル状に装着した際、管状光源１１の周りに密着した状態となる構成を採用することもできる。
【００４１】
ここで、緩衝部材１Ａは、シリコーンゴムやフッ素ゴムなどのゴム製、あるいはシリコーン樹脂やフッ素樹脂などの弾性をもった樹脂製の線材であり、その外径は０．４ｍｍ程度である。また、緩衝部材１Ａは、金属の線材がシリコーンゴムやフッ素ゴムなどのゴム層、あるいはシリコーン樹脂やフッ素樹脂などの樹脂層で被覆されたものを用いることもできる。また、緩衝部材１Ａは、ゴム部分や樹脂部分が透明あるいは半透明であり、透光性を備えている。
【００４２】
本形態においては、管状光源１１の周りに緩衝部材１Ａが設けられているため、管状光源１１に振動が伝わって管状光源１１が変位しても緩衝部材１Ａが周辺部材（図１に示すリフレクター１２や導光板１３）と接触し、管状光源１１が周辺部材に直接接触することがない。また、緩衝部材１Ａはコイル状部材であるため、管状光源１１の長手方向の広い範囲に緩衝部材１Ａが存在する。このため、管状光源１１が変位しても緩衝部材１Ａの複数個所が周辺部材と接触するため、管状光源１１に応力が集中しない。それ故、管状光源１１の破損を確実に防止することができる。
【００４３】
また、緩衝部材１Ａはコイル状部材であるため、管状光源１１の長手方向の広い範囲に緩衝部材１Ａを存在させる場合でも、１つあるいは少数の緩衝部材１Ａを管状光源１１に装着すればよい。従って、多大な手間をかけずに緩衝部材１Ａを管状光源１１の周りに設けることができる。
【００４４】
しかも、緩衝部材１Ａはコイル状部材であるため、管状光源１１を覆う面積が少なくて済む。よって、管状光源１１から出射された光が緩衝部材１Ａで遮られるのを最小限に止めることができるので、照度低下を防止することができる。また、筒状の緩衝部材１Ａを装着した箇所と筒状の緩衝部材１Ａを装着しない箇所との間での温度差が小さいので、輝度ムラや寿命低下の発生を防止することができる。
【００４５】
なお、図２（ｃ）に示すように、緩衝部材１Ａには、管状光源１１に装着されている部分から管状光源１１が位置する内側に突出した突起１０１を周方向の複数個所に設けてもよい。かかる構成を採用すると、管状光源１１が変位して緩衝部材１Ａが周辺部材に接触しても、その力は、突起１０１を介して分散するため、管状光源１１の特定個所に応力が集中しない。このため、管状光源１１の破損をより確実に防止することができる。
【００４６】
また、図２（ｄ）に示すように、緩衝部材１Ａにおいて、管状光源１１に装着されている部分から管状光源１１が位置する側とは反対側（外側）に突出した突起１０２を周方向の複数個所に設けてもよい。かかる構成を採用した場合も、図２（ｃ）と同様、管状光源１１が変位して緩衝部材１Ａが周辺部材に接触しても、その力は、突起１０１を介して分散するため、管状光源１１の特定個所に応力が集中しない。このため、管状光源１１の破損をより確実に防止することができる。さらに、図２（ｃ）に示す構成および図２（ｄ）に示す構成の双方を採用してもよい。
【００４７】
［実施の形態２］
図３は、本発明の実施の形態２に係る照明装置１０に用いた緩衝部材の説明図であり、図３（ａ）、（ｂ）は各々、管状光源１１の周りに緩衝部材を設けた様子を示す説明図、および緩衝部材を１つ抜き出して示す斜視図である。
【００４８】
図３に示す照明装置１０は、管状光源１１と、管状光源１１の周りに設けられた緩衝部材１Ｂとを有しており、管状光源１１は両端がゴムホルダー１９によって支持されている。本形態において、緩衝部材１Ｂは、管状光源１１の周りに装着された筒状部材であって、肉厚方向で貫通する複数の貫通穴１１１が形成されている。本形態では、管状光源１１の周りに３本の緩衝部材１Ｂが装着されている。貫通穴１１１は、周方向に延在するスリット状に形成されており、長手方向で隣接する貫通穴１１１同士の形成位置は周方向でずれている。ここで、緩衝部材１Ｂは、シリコーンゴムやフッ素ゴムなどのゴム製、あるいはシリコーン樹脂やフッ素樹脂などの弾性をもった樹脂製である。また、緩衝部材１Ｂは、透明あるいは半透明であり、透光性を備えている。
【００４９】
本形態においては、管状光源１１の周りに緩衝部材１Ｂが設けられているため、管状光源１１に振動が伝わって管状光源１１が変位しても緩衝部材１Ｂが周辺部材と接触し、管状光源１１が周辺部材に直接接触することがない。また、緩衝部材１Ｂは筒状部材であるため、管状光源１１の長手方向の広い範囲に緩衝部材１Ｂが存在する。このため、管状光源１１が変位しても緩衝部材１Ｂの複数個所が周辺部材と接触するため、管状光源１１に応力が集中しない。それ故、管状光源１１の破損を確実に防止することができる。
【００５０】
また、緩衝部材１Ｂは筒状部材であるため、管状光源１１の長手方向の広い範囲に緩衝部材１Ｂを存在させる場合でも、１つあるいは少数の緩衝部材１Ｂを管状光源１１に装着すればよい。従って、多大な手間をかけずに緩衝部材１Ｂを管状光源１１の周りに設けることができる。
【００５１】
しかも、緩衝部材１Ｂには複数の貫通穴１１１が形成されているため、管状光源１１を覆う面積が少なくて済む。よって、管状光源１１から出射された光が緩衝部材１Ｂで遮られるのを最小限に止めることができるので、照度低下を防止することができる。また、筒状の緩衝部材１Ｂを装着した箇所と筒状の緩衝部材１Ｂを装着しない箇所との間での温度差が小さいので、輝度ムラや寿命低下の発生を防止することができる。
【００５２】
［実施の形態３］
図４は、本発明の実施の形態３に係る照明装置１０に用いた緩衝部材の説明図であり、図４（ａ）、（ｂ）は各々、管状光源１１の周りに緩衝部材を設けた様子を示す説明図、および緩衝部材を１つ抜き出して示す斜視図である。
【００５３】
図４に示す照明装置１０は、管状光源１１と、管状光源１１の周りに設けられた緩衝部材１Ｃとを有しており、管状光源１１は両端がゴムホルダー１９によって支持されている。本形態において、緩衝部材１Ｃは、管状光源１１の周りにおいて管状光源１１の長手方向で離間する位置に装着された複数の環状部１２１と、複数の環状部１２１のうち、管状光源１１の長手方向で隣り合う環状部１２１同士を連結する連結部１２３とを備えている。本形態において、管状光源１１の長手方向で隣り合う連結部１２３は、周方向でずれた位置で環状部１２１同士を連結している。ここで、緩衝部材１Ｃは、シリコーンゴムやフッ素ゴムなどのゴム製、あるいはシリコーン樹脂やフッ素樹脂などの弾性をもった樹脂製である。また、緩衝部材１Ｃは、透明あるいは半透明であり、透光性を備えている。
【００５４】
本形態においては、管状光源１１の周りに緩衝部材１Ｃが設けられているため、管状光源１１に振動が伝わって管状光源１１が変位しても緩衝部材１Ｃが周辺部材と接触し、管状光源１１が周辺部材に直接接触することがない。また、緩衝部材１Ｃは複数の環状部１２１を備えているため、管状光源１１の長手方向の広い範囲に緩衝部材１Ｃが存在する。このため、管状光源１１が変位しても緩衝部材１Ｃの複数個所が周辺部材と接触するため、管状光源１１に応力が集中しない。それ故、管状光源１１の破損を確実に防止することができる。
【００５５】
また、緩衝部材１Ｃは、複数の環状部１２１が連結部１２３で連結されているため、管状光源１１の長手方向の広い範囲に緩衝部材１Ｃを存在させる場合でも、１つあるいは少数の緩衝部材１Ｃを管状光源１１に装着すればよい。従って、多大な手間をかけずに緩衝部材１Ｃを管状光源１１の周りに設けることができる。
【００５６】
しかも、緩衝部材１Ｃは、管状光源１１を覆う部分が環状部１２１であるため、管状光源１１を覆う面積が少なくて済む。よって、管状光源１１から出射された光が緩衝部材１Ｃで遮られるのを最小限に止めることができるので、照度低下を防止することができる。また、筒状の緩衝部材１Ｃを装着した箇所と筒状の緩衝部材１Ｃを装着しない箇所との間での温度差が小さいので、輝度ムラや寿命低下の発生を防止することができる。
【００５７】
［実施の形態４］
図５は、本発明の実施の形態４に係る照明装置１０に用いた緩衝部材の説明図であり、図５（ａ）、（ｂ）は各々、管状光源１１の周りに緩衝部材を設けた様子を示す説明図、および緩衝部材を１つ抜き出して示す斜視図である。
【００５８】
図５に示す照明装置１０は、管状光源１１と、管状光源１１の周りに設けられた緩衝部材１Ｄとを有しており、管状光源１１は両端がゴムホルダー１９によって支持されている。本形態において、緩衝部材１Ｄは、管状光源１１の周りにおいて管状光源１１の長手方向で離間する位置に装着された複数の環状部材であって、切り欠き１３１によって周方向の一箇所が途切れている。このため、緩衝部材１Ｄは、アルファベットのＣ字形状を有している。ここで、緩衝部材１Ｄは、シリコーンゴムやフッ素ゴムなどのゴム製、あるいはシリコーン樹脂やフッ素樹脂などの樹脂製である。また、緩衝部材１Ｄは、透明あるいは半透明であり、透光性を備えている。なお、本形態では、緩衝部材１Ｄは、管状光源１１の周り装着する前の状態で既にアルファベットのＣ字形状になっている構成を採用することができる他、管状光源１１の周り装着する前の状態は環状（アルファベットのＯ字形状）になっている構成を採用してもよい。
【００５９】
本形態においては、管状光源１１の周りに緩衝部材１Ｄが設けられているため、管状光源１１に振動が伝わって管状光源１１が変位しても緩衝部材１Ｄが周辺部材と接触し、管状光源１１が周辺部材に直接接触することがない。また、緩衝部材１Ｄは複数の環状部材であるため、管状光源１１の長手方向の広い範囲に緩衝部材１Ｄが存在する。このため、管状光源１１が変位しても緩衝部材１Ｄの複数個所が周辺部材と接触するため、管状光源１１に応力が集中しない。それ故、管状光源１１の破損を確実に防止することができる。
【００６０】
また、緩衝部材１Ｄは、環状であるが、周方向の一箇所で途切れているため、管状光源１１の長手方向の広い範囲に緩衝部材１Ｄを存在させる場合でも、緩衝部材１Ｄを開くように変形させれば管状光源１１に容易に装着することができ、作業性に優れている。
【００６１】
しかも、緩衝部材１Ｄは複数の環状部材からなるため、管状光源１１を覆う面積が少なくて済む。よって、管状光源１１から出射された光が緩衝部材１Ｄで遮られるのを最小限に止めることができるので、照度低下を防止することができる。また、筒状の緩衝部材１Ｄを装着した箇所と筒状の緩衝部材１Ｄを装着しない箇所との間での温度差が小さいので、輝度ムラや寿命低下の発生を防止することができる。
【００６２】
［実施の形態５］
図６は、本発明の実施の形態５に係る照明装置１０に用いた緩衝部材の説明図である。
【００６３】
図６に示す照明装置１０は、管状光源１１と、管状光源１１の周りに設けられた緩衝部材１Ｅとを有しており、管状光源１１は両端がゴムホルダー１９によって支持されている。本形態において、緩衝部材１Ｅは、管状光源１１の外周面において互いに離間する複数個所に付着する固着物である。ここで、緩衝部材１Ｅは、シリコーンゴムやフッ素ゴムなどのゴム製、あるいはシリコーン樹脂やフッ素樹脂などの弾性をもった樹脂製である。かかる緩衝部材１Ｅは、管状光源１１に対する印刷や転写などの方法で形成したものである。また、緩衝部材１Ａは、透明あるいは半透明であり、透光性を備えている。
【００６４】
本形態においては、管状光源１１の周りに緩衝部材１Ｅが設けられているため、管状光源１１に振動が伝わって管状光源１１が変位しても緩衝部材１Ｅが周辺部材と接触し、管状光源１１が周辺部材に直接接触することがない。また、緩衝部材１Ｅは、管状光源１１の外周面において互いに離間する複数個所に固着され、また、管状光源１１の長手方向において隣接する緩衝部材１Ｅは、互いに周方向でずれた位置に配置されているため、管状光源１１の長手方向および周方向の広い範囲に緩衝部材１Ｅが存在する。このため、管状光源１１が変位しても緩衝部材１Ｅの複数個所が周辺部材と接触するため、管状光源１１に応力が集中しない。それ故、管状光源１１の破損を確実に防止することができる。
【００６５】
また、緩衝部材１Ｅは管状光源１１に固着されており、かかる構成は、管状光源１１に対する印刷や転写などの方法で一括して形成することができる。従って、管状光源１１の長手方向の広い範囲に緩衝部材１Ｅを存在させる場合でも、緩衝部材１Ｅを管状光源１１に容易に設けることができる。
【００６６】
しかも、緩衝部材１Ｅは互いに離間しているため、管状光源１１を覆う面積が少なくて済む。よって、管状光源１１から出射された光が緩衝部材１Ｅで遮られるのを最小限に止めることができるので、照度低下を防止することができる。また、筒状の緩衝部材１Ｅを装着した箇所と筒状の緩衝部材１Ｅを装着しない箇所との間での温度差が小さいので、輝度ムラや寿命低下の発生を防止することができる。
【００６７】
［実施の形態６］
図７は、本発明の実施の形態６に係る照明装置１０に用いた緩衝部材の説明図であり、図７（ａ）、（ｂ）は各々、管状光源１１の周りに緩衝部材を設けた様子を示す説明図、およびその断面図である。
【００６８】
図７に示す照明装置１０は、管状光源１１と、管状光源１１の周りに設けられた緩衝部材１Ｄとを有しており、管状光源１１は両端がゴムホルダー１９によって支持されている。本形態において、緩衝部材１Ｆは、管状光源１１の外周面全体に等しい厚さで被覆された薄い透光層である。かかる緩衝部材１Ｆは、管状光源１１に対する塗布やチューブの被覆などにより形成されている。ここで、緩衝部材１Ｆは、シリコーンゴムやフッ素ゴムなどのゴム製、あるいはシリコーン樹脂やフッ素樹脂などの弾性をもった樹脂製である。
【００６９】
本形態においては、管状光源１１の周りに緩衝部材１Ｆが設けられているため、管状光源１１に振動が伝わって管状光源１１が変位しても緩衝部材１Ｆが周辺部材と接触し、管状光源１１が周辺部材に直接接触することがない。また、緩衝部材１Ｆは、管状光源１１の外周面全体に存在する。このため、管状光源１１が変位しても緩衝部材１Ｆの複数個所で周辺部材と接触するか、あるいは周辺部材と面接触するため、管状光源１１に応力が集中しない。それ故、管状光源１１の破損を確実に防止することができる。
【００７０】
また、緩衝部材１Ｆは管状光源１１の全面に形成されており、かかる構成は、管状光源１１に対する塗布やチューブの被覆などにより実現することができる。このため、管状光源１１の長手方向の広い範囲に緩衝部材１Ｆを存在させる場合でも、緩衝部材１Ｆを管状光源１１に容易に設けることができる。
【００７１】
しかも、緩衝部材１Ｆは透光層であるため、管状光源１１から出射された光が緩衝部材１Ｆで遮られるのを最小限に止めることができるので、照度低下を防止することができる。また、緩衝部材１Ｆは、管状光源１１の外周面全体を等しい厚さで覆っているため、温度差が小さい。よって、輝度ムラや寿命低下の発生を防止することができる。
【００７２】
［他の実施の形態］
図２（ｃ）、（ｄ）を参照して説明した構成は、実施の形態２、３、４で説明した緩衝部材１Ｂ、１Ｃ、１Ｄに適用してもよい。
【００７３】
また、上記実施の形態に係るいずれの緩衝部材１Ｂ、１Ｃ、１Ｄについても、図１に示すリフレクター１２や導光板１３に対して隙間を介して離間するように配置した構成を採用することができる他、リフレクター１２や導光板１３に対して接している構成を採用してもよい。後者の構成によれば、管状光源１１に振動が伝わった際、共振で大きく撓むことを防止することができるので、緩衝部材１Ａ〜１Ｆが周辺部材と接触する際の衝撃を小さくすることができる。
【００７４】
［導光板方式の照明装置、および液晶装置の基本構成］
図８は、本発明が適用される直下式の照明装置、および液晶装置の構成を模式的に示す説明図である。なお、図８に示す液晶装置などの構成は、図１を参照して説明した液晶装置１００と同様であるため、共通する部分には同一の符号を付してそれらの説明を省略する。
【００７５】
図８に示す照明装置１０は、直下式の照明装置として構成される場合があり、かかる構成の場合でも本発明を適用することができる。かかる直下式の照明装置１０では、複数本の管状光源１１が並列して配置され、かかる管状光源１１の下側にはケース１７が配置されている。管状光源１１の下側は、ケース１７の底面あるいは別部材からなるリフレクターが配置されている。かかる構成の照明装置１０では、管状光源１１の下側にケース１７やリフレクターが周辺部材として存在し、上方には被照明部材である液晶パネル５０や光学シート２９が周辺部材として存在する。このため、管状光源１１に振動が伝わると、管状光源１１がリフレクター１２や導光板１３などの周辺部材と接触すると、管状光源１１が破損することがある。それでも、上記の緩衝部材１Ａ〜１Ｆを用いれば、多大な手間をかけずに管状光源１１の破損を確実に防止できる。また、照明装置１０の照射光量の低下や、管状光源１１での温度ムラの発生を防止することができる。
【００７６】
［電子機器への搭載例］
次に、上述した実施形態に係る液晶装置１００を用いた電子機器について説明する。図９（ａ）に、液晶装置１００を備えたモバイル型のパーソナルコンピューターの構成を示す。パーソナルコンピューター２０００は、表示ユニットとしての液晶装置１００と本体部２０１０を備える。本体部２０１０には、電源スイッチ２００１及びキーボード２００２が設けられている。図９（ｂ）に、液晶装置１００を備えた携帯電話機の構成を示す。携帯電話機３０００は、複数の操作ボタン３００１及びスクロールボタン３００２、並びに表示ユニットとしての液晶装置１００を備える。スクロールボタン３００２を操作することによって、液晶装置１００の電気光学パネル１００に表示される画面がスクロールされる。図９（ｃ）に、液晶装置１００を用いた情報携帯端末（ＰＤＡ：Personal Digital Assistants）の構成を示す。情報携帯端末４０００は、複数の操作ボタン４００１及び電源スイッチ４００２、並びに表示ユニットとしての液晶装置１００を備える。電源スイッチ４００２を操作すると、住所録やスケジュール帳といった各種の情報が液晶装置１００の電気光学パネル１００の電気光学パネル１００に表示される。
【００７７】
なお、液晶装置１００が適用される電子機器としては、図９に示すものの他、デジタルスチールカメラ、液晶テレビ、ビューファインダー型、モニター直視型のビデオテープレコーダー、カーナビゲーション装置、ページャー、電子手帳、電卓、ワードプロセッサー、ワークステーション、テレビ電話、ＰＯＳ端末、銀行端末などの電子機器などが挙げられる。そして、これらの各種電子機器の表示部として、前述した液晶装置１００が適用可能である。
【符号の説明】
【００７８】
１Ａ〜１Ｆ・・緩衝部材、１０・・照明装置、１１・・管状光源、１２・・リフレクター、１３・・導光板、１００・・液晶装置
【図１】
2010244692.tif 000003
【図２】
2010244692.tif 000004
【図３】
2010244692.tif 000005
【図４】
2010244692.tif 000006
【図５】
2010244692.tif 000007
【図６】
2010244692.tif 000008
【図７】
2010244692.tif 000009
【図８】
2010244692.tif 000010
【図９】
2010244692.tif 000011
【図１０】
2010244692.tif 000012